(57)【特許請求の範囲】
【請求項１】
屋根構造体に対して，横長矩形状のスタータを最下段に配置すると共に，該スタータの表面を覆うように第１段目の屋根材を配置し，次いで，該第１段目の屋根材の上側表面を覆うように第２段目の屋根材を配置し，以降順次先に配置した屋根材の上側表面を覆うように第３段目以降の屋根材を配置し，上記スタータ及び上記各屋根材を上記屋根構造体に固定してなる屋根材の施工構造であって，上記スタータは，上辺における左右方向の中央位置に，上記第１段目の屋根材との間の位置合わせを行うためのセンターマークを有し，上記各段の屋根材は，左右の側辺には，上記スタータに設けた上記センターマークとの間の位置合わせを行う第１マークと，隣り合う上記屋根材との間の位置合わせを行う第２マークとを有し，また，上辺における左右方向の中央位置には，１つ上段の屋根材の上記第２マークとの間の位置合わせを行う第３マークを有しており，上記第２段目の屋根材の下側部分と上記スタータの上側部分とは，上記第１段目の屋根材を介して互いに重なり合う状態に配置して第１重なり部を形成しており，上記第３段目以降の屋根材の下側部分と当該屋根材の前々段の屋根材の上側部分とは，前段の屋根材を介して互いに重なり合う状態に配置して第２重なり部を形成していることを特徴とする屋根材の施工構造。
【請求項２】
請求項１において，上記スタータは，左右の側辺に，軒先との位置合わせを行う軒先マークを有していることを特徴とする屋根材の施工構造。
【請求項３】
請求項１又は２において，上記スタータは，上記センターマークを上辺及び下辺に有していると共に，上記軒先マークを上下方向の中央位置から上下対称の位置に有していることを特徴とする屋根材の施工構造。
【請求項４】
請求項１〜４のいずれか一項において，上記第１重なり部は，５０ｍｍ以上の幅に形成されていることを特徴とする屋根材の施工構造。
【発明の詳細な説明】
【０００１】
【技術分野】
本発明は，屋根構造体に対して，スタータを最下段に配置すると共に，その後順次屋根材を重ね合わせて配置する屋根材の施工構造に関する。
【０００２】
【従来技術】
図７に示すごとく，建築物の屋根構造体４に対して屋根材９を施工する場合には，まず軒先４１にスタータ９２と呼ばれる部材を配置すると共にその表面を覆って第１段目の屋根材９を配置する。次いで，図８〜図１０に示すごとく，この屋根材９の上側表面に，第２段目の屋根材９を重ねて配置し，その後，順次同様にして，第３段目以降の屋根材９を配置して，屋根材９の施工を行っている。
【０００３】
上記屋根材９の施工構造においては，上記第２段目の屋根材９は，第１段目の屋根材９の上側部分９５を覆っていると共に，その下側部分９６がスタータ９２の上側部分９２５と第１段目の屋根材９を介して重なり合った重なり部９３１（図９参照）を有している。また，第３段目以降の屋根材９も，前段の屋根材９の上側部分９５を覆っていると共に，その下側部分９６が前々段の屋根材９の上側部分９５と前段の屋根材９を介して重なり合った重なり部９３１（図１０参照）を有している。そして，上記重なり部９３１により，雨，雪等が降ったときに，屋根材９の隙間から水分が建築物に浸入することを容易に防止している。
【０００４】
また，上記スタータ９２の上側部分９２５の形状は，上記屋根材９の上側部分９５の形状と略同一の形状を有して製造されている。これは，上記重なり部９３１の上下方向の幅が，上記スタータ９２と屋根材９とにより形成された幅Ｗ８と，上記屋根材９同士により形成された幅Ｗ９との間で，略同一になるように考慮しているからである。
【０００５】
【解決しようとする課題】
しかしながら，上記従来の屋根材９の施工構造においては，上記スタータ９２は，上側部分９２５の形状を屋根材９の上側部分９５の形状に合わせておく必要がある。そのため，スタータ９２は，屋根材９の種類に合わせて複数種類準備しておく必要があり，このスタータ９２を製造する工程の合理化を行うことが困難になっている。
【０００６】
本発明は，かかる従来の問題点に鑑みてなされたもので，各種の屋根材に対して共通に使用することができるスタータを用いて，上下，左右のどちらの方向に対しても容易に位置合わせを行うことができる屋根材の施工構造を提供しようとするものである。
【０００７】
【課題の解決手段】
本発明は，屋根構造体に対して，横長矩形状のスタータを最下段に配置すると共に，該スタータの表面を覆うように第１段目の屋根材を配置し，次いで，該第１段目の屋根材の上側表面を覆うように第２段目の屋根材を配置し，以降順次先に配置した屋根材の上側表面を覆うように第３段目以降の屋根材を配置し，上記スタータ及び上記各屋根材を上記屋根構造体に固定してなる屋根材の施工構造であって，上記スタータは，上辺における左右方向の中央位置に，上記第１段目の屋根材との間の位置合わせを行うためのセンターマークを有し，上記各段の屋根材は，左右の側辺には，上記スタータに設けた上記センターマークとの間の位置合わせを行う第１マークと，隣り合う上記屋根材との間の位置合わせを行う第２マークとを有し，また，上辺における左右方向の中央位置には，１つ上段の屋根材の上記第２マークとの間の位置合わせを行う第３マークを有しており，上記第２段目の屋根材の下側部分と上記スタータの上側部分とは，上記第１段目の屋根材を介して互いに重なり合う状態に配置して第１重なり部を形成しており，上記第３段目以降の屋根材の下側部分と当該屋根材の前々段の屋根材の上側部分とは，前段の屋根材を介して互いに重なり合う状態に配置して第２重なり部を形成していることを特徴とする屋根材の施工構造にある（請求項１）。
【０００８】
本発明においては，上記スタータは，従来のように上記屋根材の形状に合わせて製作しておくのではなく，上記屋根材がどのような形状をしている場合にも，上記横長矩形状を有するスタータを使用する。そのため，上記スタータは，各種の形状を有する屋根材に対して共通に使用することができる。
【０００９】
上記のごとく，第１段目の屋根材は，スタータに対して，該スタータに設けた上記センターマークと第１段目の屋根材に設けた上記第１マークとを合わせて配置する。そして，第１段目の屋根材の上側表面に第２段目の屋根材を配置したとき，スタータと第２段目の屋根材との間で，上記第１重なり部を形成する。
そのため，この第１重なり部が重なり合う幅は，センターマーク又は第１マークの位置を変更することにより，容易に変更することができる。そのため，第１重なり部は，上記各段の屋根材が重なり合って形成する第２重なり部とは別に設定することができ，任意の幅に設定することができる。
【００１０】
また，上記のごとく，上記スタータは上辺の上記中央位置に上記センターマークを有しており，上記各段の屋根材は左右の側辺に上記第１マークを有している。そのため，センターマークと第１マークとを合わせることにより，上記スタータと第１段目の屋根材との間の位置合わせを容易に行うことができる。
また，上記各段の屋根材は左右の側辺に上記第２マークを有している。そのため，左右に隣接する各段の屋根材は，それぞれ第２マーク同士を合わせることにより，隣り合う屋根材との間の位置合わせを容易に行うことができる。
【００１１】
また，上記各段の屋根材は上辺の上記中央位置に上記第３マークを有している。そのため，上記第２マークと第３マークとを合わせることにより，各段の屋根材と該屋根材の１つ上段の屋根材との間の位置合わせを容易に行うことができる。
それ故，本発明における屋根材の施工構造においては，上記左右方向及び上下方向のどちらの方向に対しても容易に位置合わせを行うことができる。
【００１２】
【発明の実施の形態】
本発明における屋根材としては，例えば，窯業系建築板を用いることができる。また，上記スタータ又は屋根材はすべて同じ形状のものを使用することができ，それらを屋根構造体における左右の端部に配置する際には，上記中央位置における上記センターマーク又は上記第３マークを目印にして，左右半分に分割して切断し，使用することができる。
また，上記スタータのセンターマーク又は上記屋根材の第３マークは，Ｖ字状に形成することができる。この場合には，Ｖ字状の部分に応力集中を働かせて，容易にそれらを左右半分に分割，切断することができる。
【００１３】
また，上記スタータのセンターマーク及び上記屋根材の第１マーク，第２マーク，第３マークのそれぞれは，半円状又はＵ字状の円弧状，あるいはＶ字状等の形状を有する切欠きにより構成することができる。
また，上記スタータのセンターマークと上記屋根材の第１マークとを同じ形状の切欠きに，また，上記屋根材における第２マークと第３マークとを同じ形状の切欠きに形成することができる。この場合，同じ形状の切欠きを合わせて上記屋根材を配置することができる。そのため，屋根材の施工が一層容易になる。
【００１４】
また，上記スタータは，左右の側辺に，軒先との位置合わせを行う軒先マークを有していることが好ましい（請求項２）。
これにより，上記スタータは，軒先に対して容易に位置合わせができると共に，上記軒先マークよりも先端の部分を軒先よりも突出させて施工することができる。
【００１５】
また，上記スタータは，上記センターマークを上辺及び下辺に有していると共に，上記軒先マークを上下方向の中央位置から上下対称の位置に有していることが好ましい（請求項３）。
この場合，上記スタータは，横長矩形状の長辺におけるどちらの辺を上側に向けて施工してもよく，屋根構造体に配置することが一層容易になる。
【００１６】
また，上記第１重なり部は，５０ｍｍ以上の幅に形成されていることが好ましい（請求項４）。
この場合，雨，雪等が降ったときに，上記スタータと屋根材との隙間から水分が建築物に浸入することを容易に防止することができる。
また，上記第１重なり部の幅は，あまり大きくする必要はなく，実際には８０ｍｍ未満とすることが好ましい。
【００１７】
【実施例】
以下に，図面を用いて本発明の実施例につき説明する。
図６（ａ）に示すごとく，本例における屋根材１の施工構造は，屋根構造体４に対して，横長矩形状のスタータ２を配置した後，各段の屋根材１を重ね合わせて配置して固定する。
図１に示すごとく，屋根材１の施工を行うに際しては，まず，スタータ２を最下段に配置すると共に，該スタータ２の表面２０１を覆うように第１段目の屋根材１を配置する。次いで，図２〜図４に示すごとく，第１段目の屋根材１の上側表面１０１を覆うように第２段目の屋根材１を配置し，以降順次先に配置した各段の屋根材１の上側表面１０１を覆うように第３段目以降の屋根材１を配置する。
【００１８】
図５（ｃ）に示すごとく，上記スタータ２は，上辺２１における左右方向の中央位置に，上記第１段目の屋根材１との間の位置合わせを行うためのセンターマーク２１１を有している。
図５（ａ）に示すごとく，上記屋根材１は，左右の側辺１２には，上記スタータ２に設けた上記センターマーク２１１との間の位置合わせを行う第１マーク１２１と，隣り合う上記屋根材１との間の位置合わせを行う第２マーク１２２とを有している。また，屋根材１は，上辺１１における左右方向の中央位置には，１つ上段の屋根材１の上記第２マーク１２２との間の位置合わせを行う第３マーク１１１を有している。
【００１９】
図３に示すごとく，上記第２段目の屋根材１の下側部分１６と上記スタータ２の上側部分２５とは，第１段目の屋根材１を介して互いに重なり合う状態に配置して第１重なり部３１を形成している。
図４に示すごとく，以下同様にして，上記第３段目以降の屋根材１の下側部分１６と当該屋根材１の前々段の屋根材１の上側部分１５とは，前段の屋根材１を介して互いに重なり合う状態に配置して第２重なり部３２を形成している。
【００２０】
以下に，これを詳説する。
図５（ｃ）に示すごとく，上記スタータ２は，左右の側辺２２に，軒先４１との位置合わせを行う軒先マーク２２１を有している。また，スタータ２は，上記センターマーク２１１を上辺２１及び下辺２３に有していると共に，上記軒先マーク２２１を上下方向の中央位置から上下対称の位置に有している。
【００２１】
本例においては，上記スタータ２はすべて同じサイズに形成されており，上記各段に用いる屋根材１もまたすべて同じサイズに形成されている。
また，上記スタータ２のセンターマーク２１１及び上記屋根材１の第１マーク１２１は，半円状又はＵ字状に形成された円弧状の切欠きにより構成されている。また，スタータ２の軒先マーク２２１，及び屋根材１の第２マーク１２２及び第３マーク１１１は，Ｖ字状の切欠きによって構成されている。
【００２２】
本例においては，図５（ａ）に示すごとく，上記屋根材１の上辺１１と側辺１２とは，曲線で結ばれている。これに対し，図５（ｂ）に示すごとく，上記屋根材１の上辺１１と側辺１２とは，直線で結ばれていてもよい。このように，上記屋根材１は，上側部分２５の左右両側を切断して，５角形に近い形状を有しており，これにより軽量化を図っている。
【００２３】
また，本例においては，図６（ａ）に示すごとく，最下段にスタータ２を配置し，１段目に屋根材１を配置した。これに対し，図６（ｂ）に示すごとく，上記屋根材１の厚みが大きくなったとき等には，上記スタータ２の更に下段にこのスタータ２よりも上下方向の幅の小さい小スタータ２５を配置してもよい。
【００２４】
以下に，上記屋根材１を上記屋根構造体４に施工する方法につき説明する。
屋根材１の施工を行うに際しては，まず，図１に示すごとく，スタータ２を，横長矩形状の長辺である上辺２１及び下辺２３が屋根構造体４の横方向に位置するようにし，当該スタータ２の側辺２２に隣接するスタータ２の側辺２２を繋いで，配置する。また，スタータ２の上記軒先マーク２２１を軒先４１に合わせて施工する。こうして，施工構造の最下段として，スタータ２を配置する。
【００２５】
次いで，図２に示すごとく，上記スタータ２の表面２０１を覆うように，上下方向に対しては，スタータ２の下辺２３と第１段目の屋根材１の下辺１３とを合わせて位置合わせを行い，第１段目の屋根材１を配置する。また，このとき，左右方向に対しては，第１段目の屋根材１は，その円弧状の切欠きである第１マーク１２１と，スタータ２における円弧状の切欠きであるセンターマーク２１１とを合わせて位置合わせを行い，配置する。つまり，この屋根材１は，屋根構造体４に配置したスタータ２に対して，長辺の半分の長さを横方向にずらして配置する。
【００２６】
次いで，図３に示すごとく，第１段目の屋根材１の上側表面１０１を覆うように第２段目の屋根材１を配置する。このとき，第１段目の屋根材１におけるＶ字状の切欠きである第３マーク１１１に，第２段目の屋根材１におけるＶ字状の切欠きである第２マーク１２２を合わせて配置する。
そして，この配置により，上記第２段目の屋根材１の下側部分１６と上記スタータ２の上側部分２５との間には，第１段目の屋根材１を介してそれらが互いに重なり合った第１重なり部３１（図３中斜線部）が形成される。
【００２７】
次いで，図４に示すごとく，第２段目の屋根材１の上側表面１０１を覆うように第３段目の屋根材１を配置する。このとき，第２段目の屋根材１におけるＶ字状の切欠きである上記第３マーク１１１に，第３段目の屋根材１におけるＶ字状の切欠きである第２マーク１２２を合わせて配置する。そして，この配置により，上記第３段目の屋根材１の下側部分１６と上記第１段目の屋根材１の上側部分１５との間には，第２段目の屋根材１を介してそれらが互いに重なり合った第２重なり部３２（図４中斜線部）が形成される。
【００２８】
以下同様にして，第４段目以降の屋根材１を，前段の屋根材１の上側表面１５を覆うように配置する。そして，第４段目以降の屋根材１の下側部分１６と，当該屋根材１の前々段の屋根材１の上側部分１５との間にも，前段の屋根材１を介してそれらが互いに重なり合った第２重なり部３２が形成される。
なお，上記各段の屋根材１の施工を行う際に，各段の配列の終端１００に位置する屋根材１は，上記Ｖ字状の第３マーク１１１に沿って半分に切断し，施工を行うことができる。
【００２９】
本例においては，上記スタータ２は，従来のように上記屋根材１の形状に合わせて製作しておくのではなく，上記屋根材１がどのような形状をしている場合にも，上記横長矩形状を有するスタータ２を使用する。そのため，上記スタータ２は，各種の形状を有する屋根材１に対して共通に使用することができる。
【００３０】
また，上記のごとく，上記第１段目の屋根材１をスタータ２に対して配置するときは，それぞれ円弧状の切欠きを有する上記センターマーク２１１と第１マーク１２１とを合わせて配置する。また，第２段目以降の屋根材１を前段の屋根材１に配置するときは，それぞれＶ字状の切欠きを有する第２マーク１２２と第３マーク１１１とを合わせて配置する。つまり，同じ種類の切欠きを合わせて屋根材１の配置を行うため，配置が容易であり，配置ミス等を少なくすることができる。
【００３１】
また，上記第１重なり部３１において，第２段目の屋根材１とスタータ２とが重なり合う重なり幅Ｗ１（図３参照）は，センターマーク２１１又は第１マーク１２１の位置を変更することにより，容易に変更することができる。そのため，第１重なり部３１の重なり幅Ｗ１は，上記各段の屋根材１同士が重なり合って形成する第２重なり部３２の重なり幅Ｗ２（図４参照）とは別に設定することができ，任意の幅に設定することができる。
【００３２】
また，上記各重なり幅Ｗ１，Ｗ２は，５０ｍｍ以上の幅を有して形成されている。そのため，雨，雪等が降ったときに，上記スタータ２と屋根材１との隙間又は屋根材１同士の隙間から水分が建築物に浸入することを容易に防止することができる。
また，上記スタータ２及び屋根材１は，釘等によって上記屋根構造体４に固定することができる。
【００３３】
また，上記スタータ２のセンターマーク２１１，上記各段の屋根材１の第１マーク１２１，第２マーク１２２，第３マーク１１１により，上記スタータ２及び各段の屋根材１は，上記左右方向及び上下方向のどちらの方向に対しても容易に位置合わせを行うことができる。そのため，この正確な位置合わせにより，上記屋根材１の施工構造は，優れた外観を呈することができる。
【図面の簡単な説明】
【図１】実施例における，屋根材の施工方法を示す図で，スタータを配置した状態を示す説明図。
【図２】実施例における，屋根材の施工方法を示す図で，第１段目の屋根材を配置した状態を示す説明図。
【図３】実施例における，屋根材の施工方法を示す図で，第２段目の屋根材を配置した状態を示す説明図。
【図４】実施例における，屋根材の施工方法を示す図で，第３段目の屋根材を配置した状態を示す説明図。
【図５】実施例における，（ａ）屋根材，（ｂ）他の屋根材，（ｃ）スタータを示す平面図。
【図６】実施例における，屋根材の施工構造を示す側面図。
【図７】従来例における，屋根材の施工方法を示す図で，スタータを配置した状態を示す説明図。
【図８】従来例における，屋根材の施工方法を示す図で，第１段目の屋根材を配置した状態を示す説明図。
【図９】従来例における，屋根材の施工方法を示す図で，第２段目の屋根材を配置した状態を示す説明図。
【図１０】従来例における，屋根材の施工方法を示す図で，第３段目の屋根材を配置した状態を示す説明図。
【符号の説明】
１．．．屋根材，
１１．．．上辺，
１１１．．．第３マーク，
１２．．．側辺，
１２１．．．第１マーク，
１２２．．．第２マーク，
１５．．．上側部分，
１６．．．下側部分，
２．．．スタータ，
２１．．．上辺，
２１１．．．センターマーク，
２２．．．側辺，
２２１．．．軒先マーク，
２３．．．下辺，
２５．．．上側部分，
３１．．．第１重なり部，
３２．．．第２重なり部，
４．．．屋根構造体，
【図１】
0004017844.tif 000002
【図２】
0004017844.tif 000003
【図３】
0004017844.tif 000004
【図４】
0004017844.tif 000005
【図５】
0004017844.tif 000006
【図６】
0004017844.tif 000007
【図７】
0004017844.tif 000008
【図８】
0004017844.tif 000009
【図９】
0004017844.tif 000010
【図１０】
0004017844.tif 000011